Podtech/llm-jp-corpus-v4-ja_patent huggingface dataset:
【手続補正書】
【提出日】平成16年12月7日(2004.12.7)
【手続補正１】
【補正対象書類名】明細書
【補正対象項目名】００１１
【補正方法】変更
【補正の内容】
【００１１】
【発明が解決しようとする課題】
しかしながら、このようなガイドシャフトの支持構成では、駆動ガイドシャフトとモータの間に減速機構が必要となり、構成部品の数が増えてコスト高となるのみならず、占有空間も増えて機器の小型化を図るうえでの障害となる。また、減速機構の構成部品のために、モータの負荷のばらつきが増え、モータはその分の安全率を見込んで定格を選択しなければならない。
【手続補正２】
【補正対象書類名】明細書
【補正対象項目名】００２１
【補正方法】変更
【補正の内容】
【００２１】
これらの図において、符号１は長方形の光ピックアップ、同じく符号２は光ディスク、３はシャーシ、４は移送モータ、４ａは移送モータ４の主軸に形成されたリードスクリュー、４ｂは左右の曲げ部４ｅ、４ｆが調整用段付ねじ１３ａ、１３ｂを介してシャーシ３に固定され、かつ、移送モータ４の固定枠とリードスクリュー４ａの軸端を支持する略コの字形に折曲されたフレームである。
【手続補正３】
【補正対象書類名】明細書
【補正対象項目名】００２２
【補正方法】変更
【補正の内容】
【００２２】
また、符号５は、シャーシ３の裏面に一対の支持部材１０を介してリードスクリュー４ａと平行に横設されたガイドシャフトであり、６はリードスクリュー４ａの中間部を光ピックアップ１の端部で支持する後述する連結部材、７はこの連結部材６と光ピックアップ１の端部の間に挿入された送り用噛合部材であり、これらの連結部材６と送り用噛合部材７は、一対の締結具で光ピックアップ１に固定される。
【手続補正４】
【補正対象書類名】明細書
【補正対象項目名】００２４
【補正方法】変更
【補正の内容】
【００２４】
このように構成された光ピックアップ送り装置においては、シャーシ３の端部のフレーム４ｂに固定された移送モータ４を駆動源として光ピックアップ１は駆動されており、かつ、リードスクリュー４ａとガイドシャフト５の２本の軸で案内される。
【手続補正５】
【補正対象書類名】明細書
【補正対象項目名】００４４
【補正方法】変更
【補正の内容】
【００４４】
このうち、調整用段付きねじ１３ａは、ねじ部の基端の段部がシャーシ３に当接するまで締め付けられて付勢ばね１５ａを圧縮していて、この結果、フレーム４ｂの曲げ部４ｅは、圧縮された付勢ばね１５ａの復帰力によって、シャーシ３側に常時押圧されている。したがって、フレーム４ｂの曲げ部４ｅ側とシャーシ３の間隔は、常に突起部４ｃの高さに維持されている。
【手続補正書】
【提出日】平成17年10月5日(2005.10.5)
【手続補正１】
【補正対象書類名】明細書
【補正対象項目名】特許請求の範囲
【補正方法】変更
【補正の内容】
【特許請求の範囲】
【請求項１】  同一の領域に対するデータの書換回数が制限された情報記録媒体であって、
シーケンシャル繰り返し記録が行われる情報記録領域と、
前記情報記録領域に対する前回の記録動作によりデータが記録された領域の終端の位置を示すポインタ情報を記録するためのポインタ情報記録領域と
を備えた、情報記録媒体。
【請求項２】  前記情報記録領域は、ＡＶファイルを記録するためのＡＶファイル記録領域を含む、請求項１に記載の情報記録媒体。
【請求項３】  前記情報記録領域は、前記情報記録領域における未割付け領域を管理する空間管理構造を記録するための領域を含む、請求項１に記載の情報記録媒体。
【請求項４】  同一の領域に対するデータの書換回数が制限された情報記録媒体に情報を記録する情報記録方法であって、
前記情報記録媒体は、シーケンシャル繰り返し記録が行われる情報記録領域と、ポインタ情報記録領域とを含み、
前記情報記録方法は、
前記情報記録領域に対する記録動作を繰り返し行うステップと、
前記情報記録領域に対する前回の記録動作によりデータが記録された領域の終端の位置を示すポインタ情報を前記ポインタ情報記録領域に記録するステップと
を包含する、情報記録方法。
【請求項５】  前記ポインタ情報によって示される位置に続く位置から一定の方向に、前記情報記録領域における未割付け領域のサーチを行うステップをさらに包含する、請求項４に記載の情報記録方法。
【請求項６】  同一の領域に対するデータの書換回数が制限された情報記録媒体に情報を記録する情報記録装置であって、
前記情報記録媒体は、シーケンシャル繰り返し記録が行われる情報記録領域と、ポインタ情報記録領域とを含み、
前記情報記録装置は、
前記情報記録領域に対する記録動作を繰り返し行う手段と、
前記情報記録領域に対する前回の記録動作によりデータが記録された領域の終端の位置を示すポインタ情報を前記ポインタ情報記録領域に記録する手段と
を備えた、情報記録装置。
【請求項７】  前記ポインタ情報によって示される位置に続く位置から一定の方向に、前記情報記録領域における未割付け領域のサーチを行う手段をさらに備えた、請求項６に記載の情報記録装置。
【手続補正書】
【提出日】平成17年3月18日(2005.3.18)
【手続補正１】
【補正対象書類名】明細書
【補正対象項目名】００９０
【補正方法】変更
【補正の内容】
【００９０】
そして、光学記録再生媒体１０からの反射光は、光ピックアップ６６、１／４波長板６５を再び経由して円偏光はＳ偏光になり偏光ビームスプリッタ６４に反射され、組み合わせレンズ７１に入射させる。
【手続補正２】
【補正対象書類名】明細書
【補正対象項目名】００９２
【補正方法】削除
【補正の内容】
【手続補正３】
【補正対象書類名】明細書
【補正対象項目名】００９３
【補正方法】変更
【補正の内容】
【００９３】
ディテクタ７３のＡ〜Ｈにより出力される信号Ａ〜Ｈが、図示しないが所定の回路系において、以下のように加算減算処理されて所定の信号が出力される。この例においては、所定の間隔に配置して照射した上記３本のレーザ光を利用した差動プッシュプル（ＤＰＰ：Differential Push-Pull)方式によりトラッキングサーボ信号を得た。即ち、
光学記録再生媒体の再生信号＝（Ａ＋Ｂ＋Ｃ＋Ｄ）
ピット再生信号（例えばＥＦＭ信号）＝（Ａ＋Ｂ＋Ｃ＋Ｄ）
プッシュプル信号＝（Ｂ＋Ｃ）−（Ａ＋Ｄ）
差動プッシュプル（トラッキングサーボ）信号
＝（Ｂ＋Ｃ）−（Ａ＋Ｄ）−ｋ（（Ｅ−Ｆ）＋（Ｇ−Ｈ））
（ｋは所定の定数）
とする。このような構成による光学記録再生装置により、以下の実施例において、上述の本発明構成による光学記録再生媒体の評価を行った。
【手続補正書】
【提出日】平成16年3月31日(2004.3.31)
【手続補正１】
【補正対象書類名】明細書
【補正対象項目名】特許請求の範囲
【補正方法】変更
【補正の内容】
【特許請求の範囲】
【請求項１】
アモルファスシリコンで被覆され、トナー像を担持する像担持体と、
該像担持体に当接するクリーニングブレードと、を備えた像担持体クリーニング装置において、
前記クリーニングブレードを構成する基材は、少なくとも前記像担持体に当接する部分に研磨剤を内包しており、前記研磨剤が前記基材の表面から突出していることを特徴とする像担持体クリーニング装置。
【請求項２】
前記研磨剤は、酸化セリウム粒子、酸化チタン粒子、シリカ粒子、フッ化カーボン粒子、チタン酸ストロンチウム粒子の内、少なくとも１種類、もしくはそれらの混合物であることを特徴とする請求項１に記載の像担持体クリーニング装置。
【請求項３】
前記クリーニングブレードは、前記像担持体の回転方向の下流側から前記像担持体に当接していることを特徴とする請求項１に記載の像担持体クリーニング装置。
【請求項４】
前記基材は、ウレタンからなることを特徴とする請求項１に記載の像担持体クリーニング装置。
【請求項５】
トナー像を担持する像担持体の前記トナー像を被記録材に形成する画像形成手段と、
請求項１乃至４のいずれか１項に記載の像担持体クリーニング装置と、
を備えていることを特徴とする画像形成装置。
【請求項６】
色の異なるカラートナー像を担持する複数の像担持体の前記カラートナー像を被記録材に形成する画像形成手段と、
請求項１乃至４のいずれか１項に記載の像担持体クリーニング装置と、
を備えたことを特徴とする画像形成装置。
【手続補正２】
【補正対象書類名】明細書
【補正対象項目名】００１８
【補正方法】変更
【補正の内容】
【００１８】
【課題を解決するための手段】
上記目的を達成するため、本発明の像担持体クリーニング装置は、アモルファスシリコンで被覆され、トナー像を担持する像担持体と、該像担持体に当接するクリーニングブレードと、を備えた像担持体クリーニング装置において、前記クリーニングブレードを構成する基材は、少なくとも前記像担持体に当接する部分に研磨剤を内包しており、前記研磨剤が前記基材の表面から突出している。


【手続補正３】
【補正対象書類名】明細書
【補正対象項目名】００２１
【補正方法】削除
【補正の内容】
【手続補正４】
【補正対象書類名】明細書
【補正対象項目名】００３２
【補正方法】変更
【補正の内容】
【００３２】
【実施例】
以下、本発明の実施例の像担持体クリーニング装置、及びこの装置を装置本体に備えた画像形成装置の一例であるカラー電子写真複写機を図に基づいて説明する。なお、数値は、参考数値であり、本発明を限定するものではない。


【手続補正５】
【補正対象書類名】明細書
【補正対象項目名】００４１
【補正方法】変更
【補正の内容】
【００４１】
感光体ドラム３ａ，３ｂ，３ｃ，３ｄ上のトナー像が記録シートＰに転写されたとき、記録シートＰからはみ出て搬送転写ベルト１３０に付着して転写残トナーは、転写残トナー除去装置１６のクリーニングブレード２５によって除去される。
【手続補正書】
【提出日】平成16年11月1日(2004.11.1)
【手続補正１】
【補正対象書類名】明細書
【補正対象項目名】請求項１０
【補正方法】変更
【補正の内容】
【請求項１０】
前記飲食物は、ウィスキーを含むことを特徴とする請求項１乃至請求項８のいずれか１項に記載の情報処理方法。
【手続補正書】
【提出日】平成16年10月7日(2004.10.7)
【手続補正１】
【補正対象書類名】明細書
【補正対象項目名】００９８
【補正方法】変更
【補正の内容】
【００９８】
なお、閲覧用の公開コンテンツ２０３ａ，２０３ｂへのアクセスが２次コンテンツ受信者からあったときは、その公開コンテンツ２０３ａ，２０３ｂへアクセスしたユーザーＩＤの履歴を記憶しておき、それを２次コンテンツ受信者ごとに集計すれば、かかる情報を活用することができる。具体的には、この情報をサービス提供サイト１０６に提供して、対価を得ることができる。
【手続補正書】
【提出日】平成16年11月29日(2004.11.29)
【手続補正１】
【補正対象書類名】明細書
【補正対象項目名】特許請求の範囲
【補正方法】変更
【補正の内容】
【特許請求の範囲】
【請求項１】
複数の処理モジュールが処理データを共有して並列処理を行いメモリに描画する画像処理装置であって、
上記複数の処理モジュールはそれぞれ、
描画すべきプリミティブに関する情報を受けて、プリミティブがあらかじめインターリーブ状に分割された自モジュールの担当領域に含まれるか否かを判定する領域判定回路と、
上記領域判定回路により自モジュールの担当領域に含まれると判定されると、入力情報に基づいて担当領域に対する描画処理を行う処理回路と、を含む
画像処理装置。
【請求項２】
上記複数の処理モジュールの領域判定回路には、描画すべきプリミティブに関する同一の情報がブロードキャストされる
請求項１記載の画像処理装置。
【請求項３】
上記複数の処理モジュールの領域判定回路には、描画すべき異なるプリミティブに関する情報がそれぞれ供給される
請求項１記載の画像処理装置。
【請求項４】
上記複数の処理モジュールの処理回路は、自モジュールの担当する領域に含まれるピクセルのみを描画する
請求項１記載の画像処理装置。
【請求項５】
各処理モジュールの担当領域は、所定の単位領域を上記処理モジュールの数だけ分割した各領域がそれぞれ割り当てられ、
上記複数の処理モジュールの処理回路は、複数の単位領域における担当領域をスキャンしながらピクセルを発生する
請求項４記載の画像処理装置。
【請求項６】
各処理モジュールの担当領域は、所定の単位領域を上記処理モジュールの数だけ分割した各領域がそれぞれ割り当てられ、
上記複数の処理モジュールの処理回路は、複数の単位領域における担当領域をスキャンし、階層的に分割領域単位で同時にピクセルを発生する
請求項４記載の画像処理装置。
【請求項７】
上記メモリはメモリインターリーブされた複数のメモリモジュールを含み、
上記複数の処理モジュールと上記複数のメモリモジュールとが一対一に対応しており、
上記複数の処理モジュールの処理回路は、自モジュールの担当する領域に対する処理結果のみを描画して対応するメモリモジュールに出力する
請求項１記載の画像処理装置。
【請求項８】
各処理モジュールの担当領域は、所定の単位領域を上記処理モジュールの数だけ分割した各領域がそれぞれ割り当てられ、
上記複数の処理モジュールの処理回路は、複数の単位領域における担当領域をスキャンしながらピクセルを発生する
請求項７記載の画像処理装置。
【請求項９】
各処理モジュールの担当領域は、所定の単位領域を上記処理モジュールの数だけ分割した各領域がそれぞれ割り当てられ、
上記複数の処理モジュールの処理回路は、複数の単位領域における担当領域をスキャンし、階層的に分割領域単位で同時にピクセルを発生する
請求項７記載の画像処理装置。
【請求項１０】
上記領域判定回路は、プリミティブが自モジュールの担当領域に含まれると判定した場合には入力情報を上記処理回路に出力し、含まれていないと判定した場合には入力情報を上記処理回路に出力せず棄てる
請求項１記載の画像処理装置。
【請求項１１】
複数の処理モジュールが処理データを共有して並列処理を行いメモリに描画する画像処理方法であって、
上記複数の処理モジュールに対してインターリーブ状に分割して自モジュールが処理する担当領域を割り当てておき、
上記複数の処理モジュールに対して描画すべきプリミティブに関する情報を供給し、
各処理モジュールにおいて、プリミティブがあらかじめインターリーブ状に分割された自モジュールの担当領域に含まれるか否かを判定し、
自モジュールの担当領域に含まれると判定した場合に、供給された情報に基づいて担当領域に対する描画処理を行う
画像処理方法。
【手続補正２】
【補正対象書類名】明細書
【補正対象項目名】００２４
【補正方法】削除
【補正の内容】
【手続補正３】
【補正対象書類名】明細書
【補正対象項目名】００２５
【補正方法】削除
【補正の内容】
【手続補正４】
【補正対象書類名】明細書
【補正対象項目名】００２６
【補正方法】削除
【補正の内容】
【手続補正５】
【補正対象書類名】明細書
【補正対象項目名】００２７
【補正方法】削除
【補正の内容】
【手続補正６】
【補正対象書類名】明細書
【補正対象項目名】００２８
【補正方法】削除
【補正の内容】
【手続補正７】
【補正対象書類名】明細書
【補正対象項目名】００２９
【補正方法】削除
【補正の内容】
【手続補正書】
【提出日】平成16年4月2日(2004.4.2)
【手続補正１】
【補正対象書類名】明細書
【補正対象項目名】特許請求の範囲
【補正方法】変更
【補正の内容】
【特許請求の範囲】
【請求項１】
一端部には端面と両側面とにコ字型に開口した導電バー挿入溝が形成されるとともに他端部には電線挿入孔が形成された器体と、該器体の一端内部に収納配設されて前記導電バー挿入溝から挿入された導電バーを上下方向に挟み込む刃受ばね部と、前記器体の他端に収納され前記電線挿入孔から挿入された電線の芯線を鎖錠片で端子板に押し付けて接続する速結端子と、前記刃受ばね部と前記速結端子との間の電路に介在する固定接点及び可動接点と、該可動接点を前記固定接点に接離させる開閉機構と、前記器体の上面に形成された窓孔に操作部を臨ませ、前記開閉機構を介して前記可動接点を前記固定接点に接離させるハンドルと、前記電路に過電流が流れたときに発熱して変位し前記開閉機構を介して前記可動接点を前記固定接点から強制開極させるバイメタルと、両側片の先端を磁極面とした固定鉄心及び該固定鉄心の磁極面に対向配置されるとともに前記固定鉄心に揺動自在に板ばねで支持された可動鉄心を有し、前記電路に短絡電流が流れたときに前記固定鉄心の磁極面に発生する磁力で吸引揺動する前記可動鉄心により前記開閉機構を介して前記可動接点を前記固定接点から強制開極させる電磁駆動部とを備え、前記バイメタルは前記可動鉄心と前記固定鉄心との間に配置されていることを特徴とする回路遮断器。
【手続補正２】
【補正対象書類名】明細書
【補正対象項目名】０００５
【補正方法】削除
【補正の内容】
【手続補正３】
【補正対象書類名】明細書
【補正対象項目名】０００６
【補正方法】変更
【補正の内容】
【０００６】
本発明は、かかる事由に鑑みて為されたもので、その目的とするところは器体の幅寸法及び高さ寸法を小型化することでき、もってコンパクト化が図れる回路遮断器を提供することにある。


【手続補正４】
【補正対象書類名】明細書
【補正対象項目名】０００７
【補正方法】変更
【補正の内容】
【０００７】
【課題を解決するための手段】
請求項１の発明では、一端部には端面と両側面とにコ字型に開口した導電バー挿入溝が形成されるとともに他端部には電線挿入孔が形成された器体と、該器体の一端内部に収納配設されて前記導電バー挿入溝から挿入された導電バーを上下方向に挟み込む刃受ばね部と、前記器体の他端に収納され前記電線挿入孔から挿入された電線の芯線を鎖錠片で端子板に押し付けて接続する速結端子と、前記刃受ばね部と前記速結端子との間の電路に介在する固定接点及び可動接点と、該可動接点を前記固定接点に接離させる開閉機構と、前記器体の上面に形成された窓孔に操作部を臨ませ、前記開閉機構を介して前記可動接点を前記固定接点に接離させるハンドルと、前記電路に過電流が流れたときに発熱して変位し前記開閉機構を介して前記可動接点を前記固定接点から強制開極させるバイメタルと、両側片の先端を磁極面とした固定鉄心及び該固定鉄心の磁極面に対向配置されるとともに前記固定鉄心に揺動自在に板ばねで支持された可動鉄心を有し、前記電路に短絡電流が流れたときに前記固定鉄心の磁極面に発生する磁力で吸引揺動する前記可動鉄心により前記開閉機構を介して前記可動接点を前記固定接点から強制開極させる電磁駆動部とを備え、前記バイメタルは前記可動鉄心と前記固定鉄心との間に配置されていることを特徴とする。


【手続補正５】
【補正対象書類名】明細書
【補正対象項目名】００４２
【補正方法】変更
【補正の内容】
【００４２】
而して本実施形態の回路遮断器を組み立てるに当たっては、まず第１側ケース１Ａの凹部８に端子ブロック１０Ａを収納するとともに解除ハンドル１７を復帰ばね２１とともに定位置に組み込む。またハンドル６を所定位置にねじりばね５１とともに組み込み、更に図１９に示すように一端部の底部近辺に設けられた刃受ばね部収納部９０に刃受ばね部７８を収納し、導電板７１の縦片７１ｃを第１側ケース１Ａの隔壁９１、９２間のＬ状の隙間に沿わせるように配置するともに隔壁９２の上横壁部９２ａの上面に並行するように外片７１ａを配置し、第１側ケース１Ａの側平内面に形成した分離壁６５の左側壁面（図１９において）に電磁駆動部４７及びバイメタル４５を配置する。
【手続補正書】
【提出日】平成17年8月22日(2005.8.22)
【手続補正１】
【補正対象書類名】明細書
【補正対象項目名】特許請求の範囲
【補正方法】変更
【補正の内容】
【特許請求の範囲】
【請求項１】
複数の素子群を組み合わせて複合化された製品の生産システムであって、
システム設計、論理設計、レイアウト設計、製造工程設計を含み、当該製品の機能及び動作を決定付ける第１素子群の製品情報を作成し工業所有権を保持する第１の法人又は企業体と、
前記第１製品情報及び工業所有権に基づいて、当該製品における第１素子群の生産を行う第２の法人又は企業体と、
当該製品における工業所有権に基づく前記第１素子群に第２素子群を組み合わせ、当該製品のモジュールを生産し、当該モジュール又は当該モジュールを組み込んだ製品を販売する第３の法人又は企業体と
を有することを特徴とする生産システム。
【請求項２】
複数の素子群を組み合わせて複合化された製品の生産システムであって、
当該製品の機能及び動作を決定付ける第１素子群のシステム設計、論理設計、レイアウト設計、製造工程設計と、当該製品の品種を識別する識別マーカーと、それに対応する製造工程及び処理条件とを含む製品情報を第１属性領域に記録した情報処理装置を有する第１の法人又は企業体と、
前記情報処理装置の第１属性記憶領域の情報を基に製造工程プログラムを作成し、前記識別子とそれに対応する製品の品種の生産量、生産日程、ロット番号とを含む生産情報を前記情報処理装置の第２属性記憶領域に記録し、当該生産情報に従って、当該製品における第１素子群を製造する第２の法人又は企業体と、
前記第１素子群の配置に合わせて設けられる第２素子群を製造し、且つ、当該製品の組み立てを行い、当該製品の品種毎の生産高及び生産計画情報を前記情報処理装置の第３属性記憶領域に記録する第３の法人又は企業体と
を有し、
前記第１の法人又は企業体と第２の法人又は企業体とは第１属性情報記憶領域を共有化し、前記第２の法人又は企業体と第３の法人又は企業体とは第２属性情報記憶領域と第３属性情報記憶領域とを共有していること
を特徴とする生産システム。
【請求項３】
複数の素子群を組み合わせて複合化された製品の生産方法であって、
第１の法人又は企業体において、当該製品の機能及び動作を決定付ける第１素子群のシステム設計、論理設計、レイアウト設計、製造工程設計と、当該製品の品種を識別する識別マーカーと、それに対応する製造工程及び処理条件とを含む製品情報を情報処理装置に記憶させるステップと、
第２の法人又は企業体において、前記情報処理装置の製品情報を基に、当該製品の品種毎の生産計画情報に従って、当該製品における第１素子群を製造するステップと、
第３の法人又は企業体において、前記第１素子群の配置に合わせて設けられる第２素子群を製造し、且つ、当該製品の組み立てを行い、当該製品の品種毎の生産高及び生産計画情報を情報処理装置に入力するステップとを有すること
を特徴とする生産方法。
【請求項４】
複数の素子群を組み合わせて複合化された製品の生産方法であって、
第１の法人又は企業体において、当該製品のシステム設計、論理設計、レイアウト設計、製造工程設計を行い、当該製品の品種を識別する識別子と、それに対応する製造工程及び処理条件とを、情報処理装置の第１属性情報記憶領域に記憶させるステップと、
第２の法人又は企業体において、前記情報処理装置の第１属性記憶領域の情報を基に製造工程プログラムを作成し、前記識別子とそれに対応する製品の品種の生産量、生産日程、ロット番号とを含む生産情報を前記情報処理装置の第２属性記憶領域に記録すると共に、当該生産情報に従って、当該製品における第１素子群を製造するステップと、
第３の法人又は企業体において、前記第１素子群の配置に合わせて設けられる第２素子群を製造し、且つ、当該製品の組み立てを行い、当該製品の品種毎の生産高及び生産計画情報を前記情報処理装置の第３属性記憶領域に記録するステップと
を有し、
前記第１乃至第３のステップにおいて、前記第１の法人又は企業体と第２の法人又は企業体とは第１属性情報記憶領域を共有化し、前記第２の法人又は企業体と第３の法人又は企業体とは第２属性情報記憶領域と第３属性情報記憶領域とを共有していること
を特徴とする生産方法。
【手続補正書】
【提出日】平成16年5月14日(2004.5.14)
【手続補正１】
【補正対象書類名】明細書
【補正対象項目名】０００６
【補正方法】変更
【補正の内容】
【０００６】
【発明が解決しようとする課題】
ところで、上述のような構成を有するＥＬ発光素子においては、発光層２０と空気の屈折率との違いから、従来は、発光層２０で発生した光（発光）の２０％程度しか取り出せないという問題があった。
【手続補正２】
【補正対象書類名】明細書
【補正対象項目名】０００７
【補正方法】変更
【補正の内容】
【０００７】
この原因は、発光層２０で発生した光（発光）が、ＩＴＯ透明電極１４，ガラス基板１２を通過していく過程で、屈折を繰り返すうち、ガラス基板１２の内面で全反射を起こして閉じ込められる形になるものが多いということによる。すなわち、発光層２０として有機層を用いるとするとこの屈折率が約１. ７、ガラス基板１２のガラスの屈折率が約１. ５、外部の空気の屈折率が１. ０であることから、出射角度がガラス基板１２に立てた垂直線に対して約３８°（一種の臨界角である）以内の出射光だけが、外部に取り出されることになる。
【手続補正書】
【提出日】平成17年10月31日(2005.10.31)
【手続補正１】
【補正対象書類名】明細書
【補正対象項目名】特許請求の範囲
【補正方法】変更
【補正の内容】
【特許請求の範囲】
【請求項１】
基板と、
前記基板上に作製されてその端部近くまで伸びた準同軸伝送線であって、その最も端の部分は、誘電材料封止層及び金属封止層が無いことから露出した中心導体を有しており、前記誘電材料封止層及び金属封止層が前記準同軸伝送線がその上に作れられた前記基板の表面から最も遠い位置にあり、前記準同軸伝送線の前記中心導体が、前記基板の表面と、前記封止層があった場合には存在するであろうその最も端の部分との間に位置する、前記準同軸伝送線と、
前記基板上の前記準同軸伝送線と同じ面上に、前記準同軸伝送線が前記基板の前記端部に近付く位置の端部付近に設けられた金属製アース領域であって、前記準同軸伝送線のアースをとったシールドを形成する前記基板上の金属層と連続し、電気的に接続している前記金属性アース領域と、
本体及び中心導体を有する同軸コネクタであって、前記本体は、前記端部付近の前記金属アース領域に機械的、電気的に接続し、前記同軸コネクタの前記中心導体が、前記準同軸伝送線の前記露出した中心導体と電気的に接続している、前記同軸コネクタと、
前記同軸コネクタと前記準同軸伝送線の前記露出した中心導体との間の接続の上部に設けられた導電性カバーであって、前記同軸コネクタの前記本体と、前記端部付近の前記金属アース領域と、前記準同軸伝送線の前記金属封止層との近くにおいて機械的に取り付けられて、それらに独立して電気的に接続している前記導電性カバーと
を含んでなる装置。
【請求項２】
前記同軸コネクタがエッジマウント、エンドランチ型コネクタである請求項１に記載の装置。
【請求項３】
前記同軸コネクタがＳＭＡコネクタである請求項２に記載の装置。
【請求項４】
前記準同軸伝送線がＨｅｒａｅｕｓ  Ｃｅｒｍａｌｌｏｙ社製のＫＱ誘電体材料から作られたものである請求項１に記載の装置。
【手続補正書】
【提出日】平成16年12月24日(2004.12.24)
【手続補正１】
【補正対象書類名】明細書
【補正対象項目名】請求項１
【補正方法】変更
【補正の内容】
【請求項１】
光電変換層及び電界発光層からなる積層体の両面に電極を設けた電界発光素子において、該光電変換層及び／又は該電界発光層はポリカーボネート樹脂を含有し、該樹脂はその分子主鎖中に下記一般式（１）で表される芳香族カーボネート構造単位を含有することを特徴とする電界発光素子。
【化１】
2003208984.tif 000001
（式中、Ａｒ１、Ａｒ２、Ａｒ３、Ａｒ４、Ａｒ５は無置換又は置換アリーレン基を示し、Ｒ１、Ｒ２、Ｒ３、Ｒ４は無置換又は置換アリール基を示す）
【手続補正２】
【補正対象書類名】明細書
【補正対象項目名】０００５
【補正方法】変更
【補正の内容】
【０００５】
【課題を解決するための手段】
本発明者らは、上記課題を解決するために、試行錯誤の上、光電変換層に含有させる化合物に着目し鋭意検討を重ねた結果、本発明を完成するに到った。すなわち、本発明によれば、以下に示す電界発光素子及び光波長変換方法が提供される。
（１）光電変換層及び電界発光層からなる積層体の両面に電極を設けた電界発光素子において、該光電変換層及び／又は該電界発光層はポリカーボネート樹脂を含有し、該樹脂はその分子主鎖中に下記一般式（１）で表される芳香族カーボネート構造単位を含有することを特徴とする電界発光素子。
【化３】
2003208984.tif 000002
（式中、Ａｒ1、Ａｒ2、Ａｒ3、Ａｒ4、Ａｒ5は無置換又は置換アリーレン基を示し、Ｒ1、Ｒ2、Ｒ3、Ｒ4は無置換又は置換アリール基を示す）
（２）該ポリカーボネート樹脂が、下記一般式（２）で表されるカーボネート構造単位を含有することを特徴とする前記（１）に記載の電界発光素子。
【化４】
2003208984.tif 000003
（式中、Ｘは置換もしくは無置換の２価脂肪族基、置換もしくは無置換の２価芳香族基又は少なくとも２つの芳香族基を含有する２価有機基を示す）
（３）該光電変換層が、電荷発生材料を含有することを特徴とする前記（１）又は（２）に記載の電界発光素子。
（４）該光電変換層が、電荷発生層と電荷輸送層との積層体構造を有し、該電荷輸送層中には該ポリカーボネート樹脂が含有されていることを特徴とする前記（１）〜（３）のいずれかに記載の電界発光素子。
（５）該光電変換層が、電荷発生層及び電荷輸送層からなる積層体構造を有し、該電荷発生層及び電荷輸送層の両層に該ポリカーボネート樹脂が含有されていることを特徴とする前記（１）〜（３）のいずれかに記載の電界発光素子。
（６）光電変換層及び電界発光層からなる積層体の両面に電極を設けた電界発光素子に対し、光を照射し、さらに該電極から電圧を印加することにより、該電界発光層から光を発生させる光波長変換方法であって、該電界発光素子として前記（１）〜（５）のいずれかに記載の電界発光素子を用いることを特徴とする光波長変換方法。
【手続補正書】
【提出日】平成16年12月15日(2004.12.15)
【手続補正１】
【補正対象書類名】明細書
【補正対象項目名】特許請求の範囲
【補正方法】変更
【補正の内容】
【特許請求の範囲】
【請求項１】
ホスト計算機と、
ネットワークを介して該ホスト計算機と接続された複数のストレージ装置とを備え、
上記ネットワークの通信コネクションの状態に応じて、上記複数のストレージ装置のうち上記ホスト計算機からアクセスするストレージ装置を選択する分散ストレージシステム。
【請求項２】
複数の上記ホスト計算機を備え、
上記複数のホスト計算機はそれぞれ、上記複数のストレージ装置のうちのいずれかと上記ネットワークを介さずに接続されていることで組をなしていることを特徴とする請求項１記載の分散ストレージシステム。
【請求項３】
上記ストレージ装置は、
データを記録する記憶装置と、
上記組をなすホスト計算機に接続されるホストインターフェイスと、
上記ネットワークに接続されるネットワークインターフェイスと、
上記記憶装置を制御するストレージコントローラと、
上記ホストインターフェイス、ネットワークインターフェイス、およびストレージコントローラを接続するバスとを有することを特徴とする請求項２記載の分散ストレージシステム。
【請求項４】
上記ネットワークインタフェースは、
上記ネットワークを介して接続される他のストレージ装置との通信コネクションの制御を行うプロセッサと、
上記他のストレージ装置へ転送したデータを管理するローカル管理テーブル、および上記他のストレージ装置から転送されたデータを管理するためのリモート管理テーブルを持つメモリと、
上記他のストレージ装置にデータを送信するフレーム送信部と、
上記他のストレージ装置からデータを受信するフレーム受信部とを有することを特徴とする請求項３記載の分散ストレージシステム。
【請求項５】
上記ネットワークの状態を監視するパケットを用いて、上記ネットワークの通信コネクションの状態を識別することを特徴とする請求項４記載の分散ストレージシステム。
【請求項６】
.上記メモリは、さらに障害発生時に障害データの復旧に使用する障害データテーブル持つことを特徴とする請求項４記載の分散ストレージシステム。
【請求項７】
上記フレーム送信部は、上記他のストレージ装置との通信コネクション毎に分けられたデータフレーム送信用のデータ入力バッファを有することを特徴とする請求項６記載の分散ストレージシステム。
【請求項８】
上記プロセッサが、上記データ入力バッファの状態に基づいて、上記ネットワークの通信コネクションの状態を識別することを特徴とする請求項７記載の分散ストレージシステム。
【請求項９】
上記フレーム送信部は、さらに、制御用フレーム送信用のコマンド入力バッファを持つことを特徴とする請求項８記載の分散ストレージシステム。
【請求項１０】
ネットワークを介して他のストレージ装置と接続され、該他のストレージ装置と互いにアクセス可能なストレージ装置であって、
上記ネットワークの通信コネクションの状態に応じて、上記アクセスする他のストレージ装置を選択することを特徴とするストレージ装置。
【請求項１１】
上記ストレージ装置は、
データを記録する記憶装置と、
ホスト計算機に接続されるホストインターフェイスと、
上記ネットワークに接続されるネットワークインターフェイスと、
上記記憶装置を制御するストレージコントローラと、
上記ホストインターフェイス、ネットワークインターフェイス、および、ストレージコントローラを接続するバスとを有することを特徴とする請求項１０記載のストレージ装置。
【請求項１２】
上記ネットワークインタフェースは、
上記ネットワークを介して接続される他のストレージ装置との通信コネクションの制御を行うプロセッサと、
上記他のストレージ装置へ転送したデータを管理するローカル管理テーブル、および上記他のストレージ装置から転送されたデータを管理するためのリモート管理テーブルを持つメモリと、
上記他のストレージ装置にデータを送信するフレーム送信部と、
上記他のストレージ装置からデータを受信するフレーム受信部とを有することを特徴とする請求項１１記載のストレージ装置。
【請求項１３】
ネットワークの状態を監視するパケットを用いて、上記ネットワークの通信コネクションの状態を識別することを特徴とする請求項１２記載のストレージ装置。
【請求項１４】
.上記メモリは、さらに障害発生時に障害データの復旧に使用する障害データテーブル持つことを特徴とする請求項１３記載のストレージ装置。
【請求項１５】
上記フレーム送信部は、上記他のストレージ装置との通信コネクション毎に分けられたデータフレーム送信用のデータ入力バッファを有することを特徴とする請求項１４記載のストレージ装置。
【請求項１６】
上記プロセッサが、上記データ入力バッファの状態に基づいて、上記ネットワークの通信コネクションの状態を識別することを特徴とする請求項１５記載のストレージ装置。
【請求項１７】
上記フレーム送信部は、さらに、制御用フレーム送信用のコマンド入力バッファを持つことを特徴とする請求項１６記載のストレージ装置。
【請求項１８】
ネットワークを介して複数のストレージ装置を互いに接続し、該複数のストレージ装置のうちのあるストレージ装置のデータのコピーを、該複数のストレージ装置のうちの他の複数のストレージ装置に作成するデータのコピー方法であって、
上記ネットワークの通信コネクションの状態に応じて、上記あるストレージ装置からコピーを作成するためにアクセスするストレージ装置を選択することを特徴とするデータのコピー方法。
【請求項１９】
ネットワークの状態を監視するパケットを用いて、上記ネットワークの通信コネクションの状態を識別することを特徴とする請求項１８記載のデータのコピー方法。
【請求項２０】
上記ストレージ装置は、上記他のストレージ装置との通信コネクション毎に分けられたデータフレーム送信用のデータ入力バッファを有し、該データ入力バッファの状態に基づいて、上記ネットワークの通信コネクションの状態を識別することを特徴とする請求項１８記載のデータのコピー方法。
【手続補正書】
【提出日】平成16年9月24日(2004.9.24)
【手続補正１】
【補正対象書類名】明細書
【補正対象項目名】特許請求の範囲
【補正方法】変更
【補正の内容】
【特許請求の範囲】
【請求項１】
複数のディスク制御装置と、
前記複数のディスク制御装置の各々が有するチャネル制御部を相互に接続するスイッチとを有し、
前記スイッチはホストコンピュータと接続され、前記ホストコンピュータから指定されたアクセス要求先である宛先チャネル制御部とアクセス要求を実際に転送するチャネル制御部との対応情報を保持し、前記対応情報に基づいて前記ホストコンピュータから送信された前記アクセス要求を前記実際に転送するチャネル制御部に転送することを特徴とするクラスタ型ディスク制御装置。
【請求項２】
前記スイッチは、前記ホストコンピュータからのアクセス要求の転送先として複数の前記チャネル制御部が指定可能であり、前記対応情報には、前記複数のチャネル制御部の各々が転送先として選ばれる確率の情報が格納されることを特徴とする請求項１記載のクラスタ型ディスク制御装置。
【請求項３】
さらにディスク制御装置内情報を管理するサービスプロセッサ（ＳＶＰ）を有し、前記ＳＶＰは前記対応情報を変更することを特徴とする請求項１に記載のクラスタ型ディスク制御装置。
【請求項４】
前記複数のディスク制御装置の各々は、前記ホストコンピュータからのアクセス要求を受信した自身の前記チャネル制御部が前記アクセス要求を処理のどの段階まで実行するかの情報を有することを特徴とする請求項１に記載のクラスタ型ディスク制御装置。
【請求項５】
複数のディスク制御装置と、前記複数のディスク制御装置の各々が有するチャネル制御部を相互に接続するスイッチとを有するクラスタ型ディスク制御装置の制御方法であって、
前記スイッチが、ホストコンピュータからのアクセス要求を所定の情報に基づき所定のチャネル制御部へ転送し、
前記アクセス要求が転送された前記チャネル制御部が、前記アクセス要求を処理し、前記アクセス要求の返答として、前記ホストコンピュータからアクセス要求先として指定された宛先チャネル制御部が返答の発行元であるとするデータを前記ホストコンピュータに対して送信することを特徴とするディスクサブシステムの制御方法。
【請求項６】
前記アクセス要求が転送されたチャネル制御部が前記ホストコンピュータからのアクセス要求の前記宛先チャネル制御部とは異なる場合、前記アクセス要求を受信したチャネル制御部が、途中段階まで前記アクセス要求を処理し、前記宛先チャネル制御部に途中段階までの処理終了を通知し、
前記アクセス要求に対応する処理の残りを前記宛先チャネル制御部が実行することを特徴とする請求項５に記載の制御方法。
【請求項７】
前記複数のディスク制御装置の各々は、前記ホストコンピュータからのアクセス要求を受信したチャネル制御部が前記アクセス要求を処理のどの途中段階まで実行するかの情報を有し、
前記ホストコンピュータからのアクセス要求を受信した前記チャネル制御部が、前記スイッチから転送されてきた前記アクセス要求を、前記情報に基づいて前記アクセス要求を中途段階まで処理し、前記ホストコンピュータが実際に指定したアクセス要求先である前記宛先チャネル制御部に途中段階までの処理終了を通知し、
前記中途段階まで処理された前記アクセス要求の処理の残りを前記要求宛先チャネル制御部が実行することを特徴とする請求項５に記載の制御方法。
【請求項８】
前記クラスタ型記憶制御装置はディスク制御装置内情報を管理するサービスプロセッサ（ＳＶＰ）を有し、
前記ＳＶＰが、前記チャネル制御部の負荷情報を参照し、負荷が高いチャネル制御部を宛先とした前記ホストコンピュータからの前記アクセス要求を負荷が低いチャネル制御部に転送するように前記所定の情報を変更することを特徴とする請求項５に記載の制御方法。
【請求項９】
前記ＳＶＰが、前記チャネル制御部の障害情報を参照し、障害が発生したチャネル制御部を宛先とした前記ホストコンピュータからの前記アクセス要求を正常なチャネル制御部に転送するように、前記所定の情報を変更することを特徴とした請求項８に記載の制御方法。
【請求項１０】
前記ＳＶＰが、前記チャネル制御部の負荷情報を参照し、負荷が低いチャネル制御部に対する処理の実行段階を上げるように前記情報を変更することを特徴とする請求項９に記載の制御方法。
【手続補正書】
【提出日】平成17年1月12日(2005.1.12)
【手続補正１】
【補正対象書類名】明細書
【補正対象項目名】特許請求の範囲
【補正方法】変更
【補正の内容】
【特許請求の範囲】
【請求項１】
複数の遊戯者が同時にゲームを行う場合に、
各遊戯者がゲームスタート前に各プレイヤキャラクター毎に各種アイテムを選択する画像を表示する手段と、
ゲーム開始後に各プレイヤキャラクターが前記ゲーム開始前に選択した各種アイテムを同一種類毎にお互いに交換可能な画像を表示する手段と、
前記各種アイテムの中から１つを選択する選択手段と、
を有することを特徴とする画像処理装置。
【請求項２】
複数の遊戯者が同時にゲームを行う場合に、
遊戯者が操作して表示画面上の複数のアイテムのうち１つを選択する選択手段と、
ゲームスタート前に予め用意された複数の各種アイテムのうち、同一種類毎に１つのアイテムを各遊戯者がそれぞれ操作する各プレイヤキャラクター毎に選択する画像を表示するアイテム表示手段と、
各遊戯者が前記選択手段を用いてアイテム表示手段において選択したアイテムを備えた各プレイヤキャラクターによるゲームを行う所定のゲームステージと、
前記ゲームステージ終了毎に、前記アイテム選択手段にて選択したアイテムを備えた各プレイヤキャラクターと、各プレイヤキャラクターが備えているアイテムを同一種類毎に表示するプレイヤキャラクター／アイテム表示手段と、
各遊戯者が前記プレイヤキャラクター／アイテム表示手段に表示された各自のプレイヤキャラクターが備えているアイテムを前記選択手段により選択し、該アイテムを他のプレイヤキャラクターの同一種類のアイテムと交換するアイテム交換手段と、
を有することを特徴とする画像処理装置。
【請求項３】
複数の遊戯者が同時にゲームを行う場合に、
遊戯者が操作して表示画面上の複数のアイテムのうち１つを選択する選択手段と、
ゲームスタート前に予め用意された複数の各種アイテムのうち、同一種類毎に１つのアイテムを各遊戯者がそれぞれ操作する各プレイヤキャラクター毎に選択する画像を表示するアイテム表示手段と、
各遊戯者が前記選択手段を用いてアイテム表示手段において選択したアイテムを備えた各プレイヤキャラクターによるゲームを行う所定のゲームステージと、
前記ゲームステージ終了毎に、前記アイテム表示手段にて選択したアイテムを備えた各プレイヤキャラクターと、各プレイヤキャラクターが備えているアイテムを同一種類毎に表示するプレイヤキャラクター／アイテム表示手段と、
各遊戯者が前記プレイヤキャラクター／アイテム表示手段に表示された各自のプレイヤキャラクターが備えているアイテムを前記選択手段により選択して他のプレイヤキャラクターのアイテムとして移動するアイテム移動手段と、
を有することを特徴とする画像処理装置。
【請求項４】
複数の遊戯者が同時にゲームを行う場合に、
各遊戯者がゲームスタート前に各プレイヤキャラクター毎に各種アイテムを選択する画像を表示するステップと、
前記各種アイテムの中から１つを選択するステップと、
ゲーム開始後に各プレイヤキャラクターが前記ゲーム開始前に選択した各種アイテムを同一種類毎にお互いに交換可能な画像を表示するステップと、
前記交換可能なアイテムを選択するステップと、
前記交換可能なアイテムの種類毎にプレイヤキャラクター同士でアイテムを交換するステップと、
を有することを特徴とする画像処理方法。
【手続補正書】
【提出日】平成16年11月11日(2004.11.11)
【手続補正１】
【補正対象書類名】明細書
【補正対象項目名】特許請求の範囲
【補正方法】変更
【補正の内容】
【特許請求の範囲】
【請求項１】
中央処理装置に接続される、ディスク装置を制御するためのディスク用情報処理手段と、該ディスク用情報処理手段を動作させるソフトウエアが記録された不揮発性記憶手段と、該ディスク装置から読み出したデータ又は該ディスク装置へ書き込むデータを格納する記憶手段と、を備え、
前記ディスク用情報処理手段は前記中央処理装置と独立して、前記ディスク装置を制御可能であるディスク制御装置。
【請求項２】
請求項１に記載のディスク制御装置において、前記ディスク用情報処理手段の動作を指示する操作手段を備えたディスク制御装置。
【請求項３】
請求項１に記載のディスク制御装置において、前記ディスク用情報処理手段の動作を表示する表示手段を備えたディスク制御装置。
【請求項４】
請求項１に記載のディスク制御装置において、前記ディスク装置は複数であるディスク制御装置。
【請求項５】
請求項４に記載のディスク制御装置において、前記ディスク用情報処理手段は複数のディスク装置間のデータ転送を制御するディスク制御装置。
【請求項６】
請求項１に記載のディスク制御装置において、前記ディスク用情報処理手段は、フォーマット指示に基づき、前記中央処理装置と独立して、前記ディスク装置でのディスクのフォーマットの実施を制御するディスク制御装置。
【請求項７】
請求項１から６のいずれかに記載のディスク制御装置と、該ディスク制御装置により制御されるディスク装置と、該ディスク制御装置の前記ディスク用情報処理手段と接続される中央処理装置と、を備えた情報処理装置。
【手続補正書】
【提出日】平成16年5月20日(2004.5.20)
【手続補正１】
【補正対象書類名】明細書
【補正対象項目名】特許請求の範囲
【補正方法】変更
【補正の内容】
【特許請求の範囲】
【請求項１】
電子文書を処理する文書処理装置であって、
少なくとも一つ以上の電子文書を保持する保持手段と、
前記保持手段で保持された電子文書中から重要箇所を抽出する抽出手段と、
電子文書の内容を音声合成によって読み上げる読み上げ手段と、
前記読み上げ手段における読み上げ速度を前記重要箇所とそれ以外の箇所とで異なった速度に設定する設定手段とを有することを特徴とする文書処理装置。
【請求項２】
前記設定手段は、前記重要個所以外の箇所の読み上げ速度を、前記重要箇所の読み上げ速度よりも速い速度に設定することを特徴とする請求項１記載の文書処理装置。
【請求項３】
前記抽出手段は、一つの電子文書中から重要な箇所を抽出する要約手段であることを特徴とする請求項１記載の文書処理装置。
【請求項４】
前記抽出手段は、複数の電子文書中から重要な電子文書を選択する選択手段であることを特徴とする請求項１記載の文書処理装置。
【請求項５】
前記抽出手段は、複数の電子文書中から重要な電子文書を選択する選択手段と、前記選択手段で選択した電子文書中から重要な箇所を抽出する要約手段とを有することを特徴とする請求項１記載の文書処理装置。
【請求項６】
外部入力に基づき読み上げ速度を切り替える切替手段を更に有し、前記切替手段により重要箇所以外の読み上げ速度を途中で切り替えることが可能であることを特徴とする請求項１乃至５の何れかに記載の文書処理装置。
【請求項７】
前記保持手段は、前記文書処理装置が接続可能なネットワーク上の外部装置から取得した少なくとも一つ以上の電子文書を保持することを特徴とする請求項１記載の文書処理装置。
【請求項８】
前記電子文書とは、電子メール、Ｗｅｂコンテンツを含むことを特徴とする請求項１乃至７の何れかに記載の文書処理装置。
【請求項９】
電子文書を処理する文書処理装置に適用される文書読み上げ速度制御方法であって、
少なくとも一つ以上の電子文書を保持する保持手段で保持された電子文書中から重要箇所を抽出する抽出工程と、
前記電子文書の読み上げ速度を前記重要箇所とそれ以外の箇所とで異なった速度に設定する設定工程と、
電子文書を前記設定工程で設定された読み上げ速度に基づいて音声合成によって読み上げる読み上げ工程とを有することを特徴とする文書読み上げ速度制御方法。
【請求項１０】
電子文書を処理する文書処理装置に適用される文書読み上げ速度制御方法を実行するプログラムを記憶したコンピュータにより読み出し可能な記憶媒体であって、
前記文書読み上げ速度制御方法は、
少なくとも一つ以上の電子文書を保持する保持手段で保持された電子文書中から重要箇所を抽出する抽出ステップと、
前記電子文書の読み上げ速度を前記重要箇所とそれ以外の箇所とで異なった速度に設定する設定ステップと、
電子文書を前記設定ステップで設定された読み上げ速度に基づいて音声合成によって読み上げる読み上げステップとを有することを特徴とする記憶媒体。
【請求項１１】
電子文書を処理する文書処理装置の文書読み上げ速度制御方法をコンピュータに実行させるプログラムであって、
少なくとも一つ以上の電子文書を保持する保持手段で保持された電子文書中から重要箇所を抽出する抽出モジュールと、
前記電子文書の読み上げ速度を前記重要箇所とそれ以外の箇所とで異なった速度に設定する設定モジュールと、
電子文書を前記設定モジュールで設定された読み上げ速度に基づいて音声合成によって読み上げる読み上げモジュールとを有することを特徴とするプログラム。
【手続補正２】
【補正対象書類名】明細書
【補正対象項目名】０００７
【補正方法】変更
【補正の内容】
【０００７】
【課題を解決するための手段】
上記目的を達成するため、本発明は、電子文書を処理する文書処理装置であって、少なくとも一つ以上の電子文書を保持する保持手段と、前記保持手段で保持された電子文書中から重要箇所を抽出する抽出手段と、電子文書の内容を音声合成によって読み上げる読み上げ手段と、前記読み上げ手段における読み上げ速度を前記重要箇所とそれ以外の箇所とで異なった速度に設定する設定手段とを有することを特徴とする。
【手続補正３】
【補正対象書類名】明細書
【補正対象項目名】０００８
【補正方法】変更
【補正の内容】
【０００８】
また、本発明は、電子文書を処理する文書処理装置に適用される文書読み上げ速度制御方法であって、少なくとも一つ以上の電子文書を保持する保持手段で保持された電子文書中から重要箇所を抽出する抽出工程と、前記電子文書の読み上げ速度を前記重要箇所とそれ以外の箇所とで異なった速度に設定する設定工程と、電子文書を前記設定工程で設定された読み上げ速度に基づいて音声合成によって読み上げる読み上げ工程とを有することを特徴とする。
【手続補正４】
【補正対象書類名】明細書
【補正対象項目名】０００９
【補正方法】変更
【補正の内容】
【０００９】
また、本発明は、電子文書を処理する文書処理装置に適用される文書読み上げ速度制御方法を実行するプログラムを記憶したコンピュータにより読み出し可能な記憶媒体であって、前記文書読み上げ速度制御方法は、少なくとも一つ以上の電子文書を保持する保持手段で保持された電子文書中から重要箇所を抽出する抽出ステップと、前記電子文書の読み上げ速度を前記重要箇所とそれ以外の箇所とで異なった速度に設定する設定ステップと、電子文書を前記設定ステップで設定された読み上げ速度に基づいて音声合成によって読み上げる読み上げステップとを有することを特徴とする。
【手続補正５】
【補正対象書類名】明細書
【補正対象項目名】００１０
【補正方法】変更
【補正の内容】
【００１０】
また、本発明は、電子文書を処理する文書処理装置の文書読み上げ速度制御方法をコンピュータに実行させるプログラムであって、少なくとも一つ以上の電子文書を保持する保持手段で保持された電子文書中から重要箇所を抽出する抽出モジュールと、前記電子文書の読み上げ速度を前記重要箇所とそれ以外の箇所とで異なった速度に設定する設定モジュールと、電子文書を前記設定モジュールで設定された読み上げ速度に基づいて音声合成によって読み上げる読み上げモジュールとを有することを特徴とする。
【手続補正６】
【補正対象書類名】明細書
【補正対象項目名】００４２
【補正方法】変更
【補正の内容】
【００４２】
【発明の効果】
以上説明したように、本発明によれば、電子文書の読み上げにかかる時間を短縮することができると同時に、利用者が必要な情報を聞き漏らさないようにすることで情報の伝達漏れを防ぐことができるという効果を奏する。
【手続補正７】
【補正対象書類名】明細書
【補正対象項目名】符号の説明
【補正方法】変更
【補正の内容】
【符号の説明】
１０１、７０１  電子メールサーバ（外部装置）
１０２、７０２  電子メール保持部（保持手段）
１０３  要約作成部（抽出手段、要約手段）
１０４  要約保持部
１０５、７０５  読み上げ速度設定部（設定手段）
１０６、７０６  音声合成部（読み上げ手段）
１０７、７０７  公衆網
１０８、７０８  電話（読み上げ手段）
２０１  ＣＰＵ
７０３  メール選択部（抽出手段、選択手段）
７０４  選択メール保持部